(57)【特許請求の範囲】
【請求項１】
アレロパシー効果を有するカワツルモを、藻類の抑制対象となる、新たな水が流入しない閉鎖水域の水底に、植栽密度を２〜５ｇ／Ｌに調整して植栽することを特徴とする藻類抑制方法。
【請求項２】
アレロパシー効果を有するカワツルモを、植栽密度を２〜５ｇ／Ｌに調整し、６日間以上培養して得られた培養液を、藻類の抑制対象となる水域に投入することを特徴とする藻類抑制方法。
【請求項３】
アレロパシー効果を有するカワツルモを、植栽密度を２〜５ｇ／Ｌに調整し、６日間以上培養して得られた培養液であることを特徴とする藻類抑制剤。
【発明の詳細な説明】
【技術分野】
【０００１】
本発明は、藻類抑制方法および藻類抑制剤に関するものであり、具体的には、煩雑な管理や多大なコストを必要とせずに、藻類の発生を効率的に抑制できる技術に関する。
【背景技術】
【０００２】
流域からの窒素、燐等の栄養塩類の供給により、徐々に富栄養化する湖沼や閉鎖性海域が増えている。また、そうした湖沼や閉鎖性海域では藻類の増殖繁茂が問題となっている。藻類が増殖繁茂することで、その水域の水質悪化が進み、貧酸素化、藻類由来の有害物質による水生生物死滅、透明度低下、悪臭発生といった現象が見られるようになる。そこで、こうした藻類（植物プランクトン）の抑制技術として、例えば、流域からの窒素、燐等の流入負荷低減、栄養塩等の溶出抑制を目的とした底泥における覆砂や浚渫、或いは水の直接浄化といった手法が存在した。
【０００３】
また、三次元網目構造の多孔質材からなる植生基盤と、この植生基盤を水に浮かせた状態に支持する支持手段とからなる人工浮島であって、前記植生基盤に、植物プランクトンの増殖を抑制するアレロパシー物質を放出するヒメガマ、クサヨシ、マコモ、カサスゲから選択される抽水植物を植栽したことを特徴とする人工浮島（特許文献１参照）なども提案されている。また、植生基盤と、この植生基盤を水に浮かせた状態に支持する支持手段とからなる人工浮島であって、前記植生基盤に、植物プランクトンの増殖を抑制するアレロパシー物質を放出する抽水植物を植栽したことを特徴とする人工浮島（特許文献２参照）なども提案されている。
【先行技術文献】
【特許文献】
【０００４】
【特許文献１】特許４４５６６５４号公報
【特許文献１】特開２０１０−２１３５７８号公報
【発明の概要】
【発明が解決しようとする課題】
【０００５】
しかしながら、上述の、流域からの窒素、燐等の流入負荷低減の手法を実施する為には、流域全体での水質浄化に取り組む必要があり、行政等の施策との関係もあって実現までに長期間を要するおそれがある。また、底泥における覆砂や浚渫を行う手法は即効性があるが、流域の環境が改善されない限り、時間経過と共にその効果がなくなってしまうという問題がある。また、水中に含まれる懸濁物質や栄養塩の除去を行う水の直接浄化手法も即効性があるが、運用を継続するためには莫大なコストを要する手法であり、幅広く適用することは困難であった。
【０００６】
一方、特許文献らに例示されるような技術を採用する場合、対象水域の水位変動によって人工浮島の所在水位も変動し、人工浮島に植栽された抽水植物の生育が不順となる懸念もある。また、この懸念に対処するために人工浮島の所在位置を随時調整する場合、非常に煩雑な管理が必要となってしまう。
【０００７】
そこで本発明は、煩雑な管理や多大なコストを必要とせずに、藻類の発生を効率的に抑制できる技術の提供を目的とする。
【課題を解決するための手段】
【０００８】
上記課題を解決する本発明の藻類抑制方法は、アレロパシー効果を有するカワツルモを、藻類の抑制対象となる、新たな水が流入しない閉鎖水域の水底に、植栽密度を２〜５ｇ／Ｌに調整して植栽することを特徴とする。これによれば、カワツルモから溶出したアレロパシー物質が、水域に存在する各種藻類に作用し、その発生を効果的に抑制することができる。しかも、水底に植栽されたカワツルモは、そのまま定着し自然に生育を続ける為、特段の管理やコスト投下等をせずとも、水域へのアレロパシー物質の溶出は継続することになる。また、カワツルモから溶出するアレロパシー物質はカワツルモ由来の天然物であり、時間経過と共に自然に分解され、不必要に長期間残留し他に悪影響を及ぼす懸念も少ない。したがって、煩雑な管理や多大なコストを必要とせずに、藻類の発生を効率的に抑制できることとなる。
【００１０】
また、本発明の藻類抑制方法は、アレロパシー効果を有するカワツルモを、植栽密度を２〜５ｇ／Ｌに調整し、６日間以上培養して得られた培養液を、藻類の抑制対象となる水域に投入することを特徴とする。これによれば、カワツルモから溶出し培養液に含まれるアレロパシー物質が、水域に存在する各種藻類に作用し、その発生を効果的に抑制することができる。対象水域の環境（水深や水流、水質等）がカワツルモの定着には厳しい環境であってもそうした環境に左右されず、培養液を投入するだけで藻類の発生を効果的に抑制することができる。しかも、培養液は、カワツルモを６日間以上培養するだけで簡単に生成することが出来、生成の為の手間やコストも低く抑えられる。また、培養液が含むカワツルモ由来のアレロパシー物質はカワツルモ由来の天然物であり、時間経過と共に自然に分解され、不必要に長期間残留し他に悪影響を及ぼす懸念も少ない。従って、煩雑な管理や多大なコストを必要とせずに、藻類の発生を効率的に抑制できることとなる。
【００１２】
また、本発明の藻類抑制剤は、アレロパシー効果を有するカワツルモを、植栽密度を２〜５ｇ／Ｌに調整し、６日間以上培養して得られた培養液であることを特徴とする。こうした藻類抑制剤によれば、藻類の発生を抑制したい水域へのアレロパシー物質の投下を非常に簡単に実現することが可能となる。また、カワツルモの培養を適宜な施設にて集約的に行って当該藻類抑制剤を生成すれば、その生成コストや手間も更に低減され、低廉なコストと少ない手間で効果的な藻類抑制を実現できる。
【発明の効果】
【００１３】
本発明によれば、煩雑な管理や多大なコストを必要とせずに、藻類の発生を効率的に抑制できる。
【図面の簡単な説明】
【００１４】
【図１】本実施形態における藻類抑制方法の適用例１を示す図である。
【図２】本実施形態における藻類抑制方法の適用例２を示す図である。
【図３】本実施形態における池水単独培養試験により得られた、培養期間と検液の濁度との関係を示すグラフである。
【図４】本実施形態における共培養試験および移植水培養試験により得られた、培養期間と検液の濁度との関係を示すグラフである。
【図５】本実施形態の流入水における共培養に及ぼすカワツルモ量の影響を示すグラフである。
【図６】本実施形態の流入水における移植水培養に及ぼすカワツルモ量の影響を示すグラフである。
【図７】本実施形態における経過日数と濁度の関係を示すグラフである。
【発明を実施するための形態】
【００１５】
以下に本発明の実施形態について図を用いて詳細に説明する。図１は、本実施形態における藻類抑制方法の適用例１を示す図である。本実施形態においては、藻類発生を抑制すべき水域１の水底２に、アレロパシー効果を有する沈水植物３として例えばカワツルモを植栽している。但し、前記沈水植物３は、水底２の地盤に直接植栽する場合のみならず、適宜な量の土壌を擁した容器に植栽し、これを水底２に沈下・固定する状況も想定できる。
【００１６】
水底２に植栽されたカワツルモ３は、水底２に根を張って活着し、その場で生育を続けることになる。また、カワツルモ３からはアレロパシー効果を有する物質、すなわちアレロパシー物質（アレロケミカル）が水中に溶出する。このアレロパシー物質は、他の植物の生長を抑制する物質であり、恐らくは有機物の一種と思われる。カワツルモ３から溶出したアレロパシー物質は、カワツルモ周囲の水域１に拡散し、該当水域１の水中に漂う藻類に作用することになる。アレロパシー物質が作用した各種藻類は活動を低下させ、増殖が抑えられてしまう。
【００１７】
一方、カワツルモ３は前記水底２にあって、水中を通って届く太陽光を受け光合成を行って生育し、アレロパシー物質を周囲に放出し続ける。つまり、特段の管理やコスト投下等をせずとも、水域１へのアレロパシー物質の溶出は継続することになる。また、沈水植物たるカワツルモ３から溶出するアレロパシー物質は植物由来の天然物であり、時間経過と共に自然に分解され、不必要に長期間残留し他に悪影響を及ぼす懸念も少ない。したがって、煩雑な管理や多大なコストを必要とせずに、藻類の発生を効率的に抑制できることとなる。
【００１８】
なお、アレロパシー効果を有する植物の植栽密度に関して、後述する検証試験によれば、沈水植物３たるカワツルモを水域１の水底２に植栽する密度（１リットルの水に存在するカワツルモ３の重量）は、好ましくは、１ｇ／Ｌ以上１０ｇ／Ｌ未満、より好ましくは２ｇ／Ｌ以上５ｇ／Ｌ未満となった。但し、その検証試験においては、ごく限られた容積の閉鎖系（フラスコ内）で実験を行っており、新たな流入等が存在する実際の湖沼や閉鎖海域等であれば、１０ｇ／Ｌ以上の高密度植栽が好適な条件となる可能性もある。また、採用する沈水植物３がカワツルモ以外の植物である場合、上述した好ましい植栽密度の値も異なることが予想される。いずれにしても、実際の水域１の環境と植栽する沈水植物３の性質とに応じて、好ましい植栽密度は異なることになる。
【００２１】
また、本実施形態によって発生抑制が期待できる藻類（植物プランクトン）としては、クリプト藻、渦鞭毛藻、珪藻、ミドリムシ藻、プラシノ藻、および藍藻であり、後述する検証試験に用いた検液にも実際に含まれていた。
【００２２】
なお、藻類抑制対策を施すような水域１は、既に富栄養化が進んで汚濁の程度もひどい場合が想定される。そのような状況下では、底泥１０から絶え間なく栄養塩らが水中に溶出し藻類に供給されている為、そのまま沈水植物３の植栽を行ったとしても、多くの栄養塩等を得て活発に増殖する藻類を効率的に抑え込むことが難しい。
【００２３】
そこで、図２に示すように、底泥１０の表面を砂１１で被覆、すなわち覆砂を行うことで、底泥１０からの栄養塩等の溶出を止め、その上で沈水植物３の植栽を行うとすれば好適である。或いは、底泥自体を除去すべく浚渫を行うことで、水域１からの栄養塩等の除去を図り、その上で沈水植物３の植栽を行うとしても好適である。
【００２４】
これによれば、水底２が既に多量の栄養塩や有機物で覆われてしまっている場合であっても、それらが水中に舞い上がり拡散することを抑止するか、或いは底泥自体を浚渫して栄養塩等を一旦除去した上で、沈水植物３の植栽を行うことができる。従って、それまで堆積していた栄養塩等による悪影響を排除した上で、沈水植物３のアレロパシー物質による藻類抑制を行うことが可能となり、対象水域１の現状に柔軟に対応した効果的な藻類抑制が実現される。
【００２５】
なお、上述までの例では、沈水植物３を水底２に植栽する状況を前提としていた。だが、こうした前提とは異なり、沈水植物由来のアレロパシー物質を含んだ液体２０を水域１に投入することで藻類抑制を図ることも出来る。この場合、アレロパシー効果を有する沈水植物３、例えばカワツルモを所定期間浸漬させ、そのカワツルモを取り除いた後の液体２０を、例えば所定のタンク１５から藻類の抑制対象となる水域１に投入することとなる。これによれば、前記沈水植物３から溶出し前記液体２０に含まれるアレロパシー物質が、水域１に存在する各種藻類に作用し、その発生を効果的に抑制することができる。対象水域１の環境（水深や水流、水質等）が沈水植物３の定着には厳しい環境であってもそうした環境に左右されず、前記液体２０を投入するだけで藻類の発生を効果的に抑制することができる。
【００２６】
しかも、前記液体２０は、前記沈水植物３を浸漬するだけで簡単に生成することが出来、生成の為の手間やコストも低く抑えられる。また、前記液体２０が含む沈水植物由来のアレロパシー物質は植物由来の天然物であり、時間経過と共に自然に分解され、不必要に長期間残留し他に悪影響を及ぼす懸念も少ない。従って、煩雑な管理や多大なコストを必要とせずに、藻類の発生を効率的に抑制できることとなる。なお、上述と同様に、前記水域１の底泥１０について覆砂ないし浚渫を行った上で、前記液体２０の投入を行うとしてもよい。
【００２７】
前記液体２０は、アレロパシー効果を有する沈水植物３を所定期間浸漬させてなる藻類抑制剤とも言える。こうした藻類抑制剤によれば、藻類の発生を抑制したい水域１へのアレロパシー物質の投下を非常に簡単に実現することが可能となる。また、沈水植物３の浸漬を適宜な施設（大規模に浸漬作業を行う工場施設等）にて集約的に行って当該藻類抑制剤を生成すれば、単位量当たりの生成コストや手間も更に低減され、低廉なコストと少ない手間で効果的な藻類抑制を実現できる。前記液体２０すなわち藻類抑制剤は、単独で用いる場合のみならず、水底２への沈水植物３の植栽だけでは藻類抑制効果が不十分である場合に、追加的に水域１へ投入するといった状況で用いるとしてもよい。
【００２８】
−−−沈水植物によるアレロパシー効果の検証試験概要−−−
続いて、沈水植物３が有するアレロパシー効果について検証試験を行ったので、その検証結果について説明する。当該検証試験に際しては、実際に窒素や燐等の物質が多く含まれた水が流入している池（以下、Ａ池）と、このＡ池からの流入がある池（以下、Ｂ池）の池水を採取し、これらの池水中に沈水植物３の１種であるカワツルモを配置し種々の条件での培養試験を行った。
【００２９】
培養試験としては、共培養試験と移植水培養試験を行った。共培養試験は、池水にカワツルモを共存させて培養し、その結果を池水の単独培養と比較して、池水中の植物プランクトンの増殖に及ぼすカワツルモの影響を把握するものである。一方、移植水培養試験は、上記の共培養試験の所定日数後に培養液をろ過し、得られたろ過水（これを移植水と呼ぶ）について、植物プランクトンの種菌を接種し（今回はろ過水と同量の前記Ａ池への流入水を添加）、培養する試験である。なお、植物プランクトンの増殖抑制には、カワツルモのアレロパシー効果に加えて、光量阻害、窒素や燐の吸収争奪、動物プランクトンによる摂取害なども影響する。そこでこれらの因子を除き、アレロパシー効果を明確にするため、上述の移植水培養試験を実施することとした。
【００３０】
−−−供試試料−−−
上記の検証試験に際し供試した水すなわち池水試料は、次の３試料とした。  
（１）流入水（Ａ池の流入水）
（２）流出水（Ａ池の流出側池水）
（３）Ｂ池の池水
これらの各池水試料は４℃の冷蔵室で保存し、使用に際してその都度、目開き２ｍｍのフルイに通すことでゴミ等の不要物を除いたものを検液として用いた。なお、前記Ａ池は湾奥に位置し、付近から取水された汽水にて池水をなしている池である。Ａ池への流入水の水質は塩分が約２０‰、窒素分が約１ｐｐｍ、燐分が約０．２ｐｐｍ、ＣＯＤ（Chemical Oxygen Demand）が約５ｐｐｍ程度であった。なお、前記流入水に含まれており、沈水植物由来のアレロパシー物質により発生抑制が期待できる植物プランクトンとしては、クリプト藻、渦鞭毛藻、珪藻、ミドリムシ藻、プラシノ藻、および藍藻であった。
【００３１】
また、上記池水試料に投入する沈水植物３としては、一例としてカワツルモを採用している。このカワツルモは前記Ａ池にて採取されたものである。使用に際しては、付着物（落ち葉やシオグサ等）を洗い落とし、湿潤重量を測定した後で実験に供した。
【００３２】
−−−試験方法（池水単独培養試験、カワツルモ共培養試験）−−−
続いて、池水単独培養試験、カワツルモ共培養試験の試験方法について説明する。この場合、検液（１０００ｍＬ）を三角フラスコ（１Ｌ容）に入れた後、カワツルモを所定量（０、２、５、１０ｇ）添加して培養する。このうち、カワツルモが０ｇの場合を池水単独培養試験、カワツルモを２、５、１０ｇ、各添加する場合をカワツルモ共培養試験と呼ぶ。また、培養は既存の照明付培養施設にて行う。
【００３３】
また、培養期間が１６日経過した後、培養液残量に対して、Ｄ・Ｔ−Ｎ（溶存体の窒素）を１ｐｐｍ、Ｄ・ＰＯ４−Ｐ（溶存した燐酸体の燐）を０．５ｐｐｍ添加して、さらに７日間の培養を行った。最終的な全培養期間は２１日間である。培養条件を以下に示す。  
・培養温度：２５℃
・照    度：４０００ｌｘ
・明暗周期：１４時間明条件、１０時間暗条件
・培養法  ：静置培養
・試料攪拌：１日１回の頻度で、手で攪拌
【００３４】
−−−試験方法（移植水培養試験）−−−
この場合、上述の共培養試験において共培養を開始して６日後の培養液を移植水として用いる。この移植水は、前記共培養試験で６日後に得た培養液からカワツルモを取り出し、さらにろ紙（５Ｃ）でろ過した濾液である。この移植水に対し、同量の流入水（Ａ池に流れ込む流入水）を添加した後、上述の共培養試験と同じ条件で１０日間の培養を行う。  
【００３５】
また、この培養を開始し通算培養日数が１６日経過後には、培養液残量に対して、Ｄ・Ｔ−Ｎを１ｐｐｍ、Ｄ・ＰＯ４−Ｐを０．５ｐｐｍ添加し、更に７日間の培養を実施した。  
【００３６】
この時の培養条件は、上述の池水単独培養試験、カワツルモ共培養試験のものと同条件としている。なお、共培養試験を開始して６日間を第１ステップ、この共培養試験を開始して６日目の培養液を移植水として用いて行う上記移植水培養試験の期間（１０日間）を第２ステップ、通算培養日数が１６日経過後に培養液残量に対して、Ｄ・Ｔ−Ｎを１ｐｐｍ、Ｄ・ＰＯ４−Ｐを０．５ｐｐｍ添加し、更に培養試験を行う期間（７日間）を第３ステップと称する。
【００３７】
−−−検液と試験の組み合わせ−−−
先に述べたように、試験に供試した水すなわち検液は、Ａ池に流入する流入水、Ａ池から流出する流出水、Ｂ池の池水、であり、以下の表１に示す、（１）〜（１２）の各条件で各培養試験を実施した。
【００３８】
0005707956.tif 000002
【００３９】
また、検液たる、Ａ池の流入水および流出水、ならびにＢ池の池水の各池水の水質の分析結果について、表２に示しておく。
【００４０】
0005707956.tif 000003
【００４１】
表２にて示すように、濁度については、Ａ池の流入水が「７．３」度、流出水が「６．４」度、Ｂ池の池水が「４．５」度であった。また、ＣＯＤについては、Ａ池の流入水が「５．０」ｍｇ／Ｌ、流出水が「８．９」ｍｇ／Ｌ、Ｂ池の池水が「２４」ｍｇ／Ｌであった。また、溶存体の窒素分については、Ａ池の流入水が「０．９５」ｍｇ／Ｌ、流出水が「０．５９」ｍｇ／Ｌ、Ｂ池の池水が「１．０」ｍｇ／Ｌであった。また、溶存した燐酸体の燐分については、Ａ池の流入水が「０．１７」ｍｇ／Ｌ、流出水が「０．２４」ｍｇ／Ｌ、Ｂ池の池水が「０．７７」ｍｇ／Ｌであった。
【００４２】
−−−試験結果（池水単独培養試験）−−−−
上述の条件により行った池水単独培養の試験結果について以下に示す。図３は、池水単独培養試験により得られた、培養期間と検液の濁度との関係を示すグラフである。このグラフが示すように、条件（１）：流入水では、２日後から濁度が上昇して４日後には最大２８度になり、その後、１１日目まで徐々に濁度は減少した。これに対して、条件（４）：流出水では濁度にほぼ変化が無く、また、条件（５）：Ｎ添加したものでは、培養１６日後でも濁度は上昇しなかった。また、条件（６）：Ｂ池では、濁度はほとんど上昇しなかった。
【００４３】
上述のように、流入水のＡＧＰ（AlgalGrowthPotential）は、濁度表示で２８度と算定されたが、この水がＡ池を流下した後の現地の流出水の濁度は６．４度と低く、Ａ池では懸濁態の植物プランクトンの増殖を抑制する何かの作用が働いていると考えられる。
【００４４】
また、窒素分を添加した流出水とＢ池の窒素や燐の濃度は前記流入水と比較して同等か超えているにもかかわらず、そのＡＧＰは濁度で５〜６度にしかなっていない。このことからも、Ａ池とＢ池では、植物プランクトンの増殖を抑制する何らかの作用が働いていると考えられる。
【００４５】
Ａ池には水草のカワツルモが、Ｂ池には藻類のシャジクモ類が繁茂しており、この両者の水生生物が植物プランクトンの増殖抑制に関与し、何らかのつまりアレロパシー物質を分泌し、そのアレロパシー活性によって植物プランクトンの増殖が抑制されている、ことが予想される。
【００４６】
−−−試験結果（共培養・移植水培養試験）−−−−
続いて、共培養試験および移植水培養試験の結果について説明する。図４は、共培養試験および移植水培養試験により得られた、培養期間と検液の濁度との関係を示すグラフである。このグラフには、カワツルモ由来のアレロパシー物質が検液に含まれる場合との比較の意味で、条件（１）〜（３）についても併せて試験結果を示している。
【００４７】
ａ．共培養における経時変化
条件（１）：流入水単独では、培養開始２日後から検液の濁度が上昇し、４日後に最大２８度になっている。これに対して、条件（８）：カワツルモ５ｇ／Ｌでは、濁度は培養開始４〜５日後でも４〜５度どまりであった。また、条件（７）：カワツルモ２ｇ／Ｌでも、窒素、燐は共に減少したが、濁度は、条件（１）：流入水単独と条件（８）：５ｇ／Ｌとの中間で、１１〜１５度であった。このように、カワツルモ２ｇ／Ｌと５ｇ／Ｌの共培養では、濁度の上昇が抑えられていた。  
一方、条件（９）：カワツルモ１０ｇ／Ｌでは、培養開始から濁度がゆっくり上昇し、７日後には２９度になり、１３日後にはシオグサが多く発生し濁度も５０度になった（燐は明確に減少したが、窒素の減少量は６日後で少なく、逆に１３日以降上昇した）。
【００４８】
ｂ．移植水培養における経時変化
第二ステップにおいて、条件（３）流入水単独では培養開始１３日後に最大濁度１３度に、条件（１２）：カワツルモ１０ｇ／Ｌでは培養開始１１日後に最大濁度３４度になった。さらに、窒素、燐を添加した第三ステップにおいては、再度濁度が上昇し、条件（３）：流入水単独では培養開始２１日後に１１度、条件（１２）：カワツルモ１０ｇ／Ｌは培養開始２０日後に８度となった。  
一方、上記２つの条件に対して、条件（１０）：カワツルモ２ｇ／Ｌと、条件（１１）：５ｇ／Ｌでは、培養試験の全期間にわたって濁度の上昇はほとんど見られない。第二ステップにおける移植水培養にて、条件（１０）：カワツルモ２ｇ／Ｌでは培養開始９日後に最大濁度４．５度に、条件（１１）：カワツルモ５ｇ／Ｌでは培養開始５日後に最大濁度２．４度になったに過ぎない。つまり、窒素、燐を添加しても、再度種菌を添加することを目的に流入水を添加しても、濁度はほとんど上昇していない。
【００４９】
ｃ．移植水培養試験におけるカワツルモ量の影響
図５は、流入水における共培養に及ぼすカワツルモ量の影響を示すグラフ、図６は、流入水における移植水培養に及ぼすカワツルモ量の影響を示すグラフである。いずれのグラフも、培養経過日数をパラメーターとしてカワツルモ量と濁度との関係を示している。
【００５０】
図５のグラフが示すように、条件（８）カワツルモ５ｇ／Ｌでは、経過日数に関わらず濁度の上昇がほとんど無いことが分かる。また、条件（７）カワツルモ２ｇ／Ｌでも、条件（１）カワツルモ０ｇ／Ｌに比べ、経過日数に関わらず濁度の上昇が少ないことがわかる。
【００５１】
また、図６のグラフが示すように、移植水培養では、条件（１０）カワツルモ２ｇ／Ｌ、と条件（１１）カワツルモ５ｇ／Ｌで、経過日数に関わらず濁度が殆ど上昇しなかった。このことから、共培養した６日間中にカワツルモから何らかの物質が分泌され、この分泌物質によるアレロパシー活性によって、懸濁態の植物プランクトンの増殖能力が低くなったことが考えられる。前述したように、この状態が少なくとも１０日間（第二ステップの期間）は持続したことから、移植水培養でも、濁度の上昇が１０日間抑制できると推察される。
【００５２】
現地で採取した流出水は、Ａ池への流入水がカワツルモの繁茂した所を流下してきた水である。この流出水をそのまま、さらには窒素添加したものを、培養した結果は、先の単独培養の図３に示した通りであり、濁度は上昇しなかった。この状況は、培養１６日後でも同様であった。
【００５３】
ｄ．カワツルモによるアレロパシー活性の寿命
条件（１０）カワツルモ２ｇ／Ｌと、条件（１１）カワツルモ５ｇ／Ｌにおける移植水培養で、培養開始から１０日後までは濁度の上昇がない。加えて、流出水単独の培養で、１６日後まで濁度の上昇がない。このことから、共培養において分泌した何らかの物質のアレロパシー活性によって懸濁態の植物プランクトンが増殖能力を失い、この状態は少なくとも、１０日間程度は持続することが判明した。
【００５４】
ｅ．カワツルモによるアレロパシー活性の持続日数
一連の試験では、アレロパシー活性の持続日数について確認していない。このため、上記の試験とは別に、アレロパシー活性の持続日数を把握するため、新たに確認試験を実施した。供試した流入水の水質は表３に示す。
【００５５】
0005707956.tif 000004
【００５６】
上記の条件（８）：カワツルモ５ｇ／Ｌの共培養液を移植水として用いて、ｂ）ろ過後直ちに移植水として培養、ｃ）ろ過後２５℃暗所１日静置養生後培養、ｄ）ろ過後２５℃暗所７日間静置養生後培養、の各培養を行って濁度試験を実施し、アレロパシー活性の持続期間について評価した。なお、移植水培養を行う際、溶液中の栄養塩がＤ・Ｔ−Ｎとして１ｍｇ／Ｌ、Ｄ・ＰＯ４−Ｐとして０．５ｍｇ／Ｌになるよう調整した。試験結果である図７の経過日数と濁度の関係を示すグラフより、条件（８）：カワツルモ５ｇ／Ｌで共培養した溶液を移植水とし、ｂ）ろ過後直ちに移植水として培養した場合、ｃ）ろ過後２５℃暗所１日静置養生後培養の場合、の間には殆ど差がなく、植物プランクトンの抑制効果が見られた。ｄ）ろ過後２５℃暗所７日間静置養生後移植水とした場合は、ａ）流入水単独培養の試験結果と、ｂ）ろ過後直ちに移植水として培養およびｃ）ろ過後２５℃暗所１日静置養生後培養の試験結果との中間の値であった。
【００５７】
−−−まとめ−−−
上述の各試験では、沈水植物のカワツルモによるアレロパシー効果を明らかにするため、Ａ池への流入水とＡ池からの流出水及びＢ池の池水、の三種類の池水を供試し、池水の単独培養、カワツルモと池水の共培養、カワツルモと池水の移植水培養の各試験を実施した。流入水、流出水に関する主な結果は下記の通り。
【００５８】
１）流入水の単独培養では（条件（１））、培養開始２日後から濁度が上昇し４日後に最大２８度になり、その際、窒素、燐は共に減少した。これに対して、流出水をそのまま（条件（２））、さらには窒素添加したもの（条件（３））の単独培養では、培養開始１６日後でも濁度は上昇せず、その際、窒素、燐は変化しなかった。
【００５９】
２）流入水とカワツルモ２ｇ／Ｌ（条件（７））、あるいはカワツルモ５ｇ／Ｌ（条件（８））の共培養では、窒素、燐は共に減少したが、濁度はカワツルモ２ｇ／Ｌ（条件（７））  で１１〜１５度、カワツルモ５ｇ／Ｌ（条件（８））で４〜５度どまりであった。このように、カワツルモ２ｇ／Ｌ（条件（７））とカワツルモ５ｇ／Ｌ（条件（８））の共培養では、濁度の上昇が抑えられていた。
【００６０】
３）植物プランクトンの増殖抑制においては、アレロパシー効果に加えて、光量阻害・ＮＰ吸収争奪・動物プランクトンによる摂取害なども影響する。これらの因子を除き、アレロパシー効果を明確にするため、共培養６日後にろ過液を採取し、再度流入水と同量混合して、移植水培養を実施した。  
流入水とカワツルモ２ｇ／Ｌ（条件（１０））、あるいはカワツルモ５ｇ／Ｌ（条件（１１））の移植水培養で、培養開始から１０日後まで濁度の上昇がほとんど無かった。こうした結果から、カワツルモの植栽密度は２ｇ／Ｌ〜５ｇ／Ｌが好ましいと言える。
【００６１】
４）共培養と移植水培養の結果から、「カワツルモ２ｇ／Ｌと５ｇ／Ｌでは、共培養した６日間にカワツルモから何らかの物質が分泌され、この分泌物質によるアレロパシー活性によって、懸濁態の植物プランクトンの増殖能力が低くなり、その状態が少なくとも１０日間は持続」し、その結果、「移植水培養で、濁度の上昇がほとんど見られなかった」と解釈した。先の流出水の単独培養で、濁度が上昇しなかったことも、この解釈を支持している。
【００６２】
５）移植水培養試験では、培養試験を２１日まで行ない、培養１６日後にはＤ・Ｔ−Ｎを１ｐｐｍ、Ｄ・ＰＯ４−Ｐを０．５ｐｐｍ添加した。その際の特記すべき事項は以下の通りである。培養１６日後までにカワツルモによる何らかのアレロパシー効果が認められたケースでは、濁度の上昇は認められない。
【００６３】
６）流入水とカワツルモ１０ｇ／Ｌ（条件（９））の共培養では、カワツルモ２ｇ／Ｌやカワツルモ５ｇ／Ｌの場合とは結果が大きく異なった。この場合、濁度は約５０度に達し、培養開始６日後での窒素の減少量が少なく、逆に培養開始１３日以降上昇し、２２日後には２ｐｐｍまで上昇した。
【００６４】
以上、本実施形態によれば、煩雑な管理や多大なコストを必要とせずに、藻類の発生を効率的に抑制できる。
【００６５】
本発明の実施の形態について、その実施の形態に基づき具体的に説明したが、これに限定されるものではなく、その要旨を逸脱しない範囲で種々変更可能である。
【符号の説明】
【００６６】
１  （藻類発生を抑制すべき）水域
２  水底
３  （アレロパシー効果を有する）沈水植物
１０  底泥
１５  タンク
１１  砂（覆砂）
２０  （沈水植物由来のアレロパシー物質を含んだ）液体、藻類抑制剤
【図１】
0005707956.tif 000005
【図２】
0005707956.tif 000006
【図３】
0005707956.tif 000007
【図４】
0005707956.tif 000008
【図５】
0005707956.tif 000009
【図６】
0005707956.tif 000010
【図７】
0005707956.tif 000011